(57)【特許請求の範囲】
【請求項１】
遊技機が設置される遊技島に固定される外枠と、
前記外枠に対して開閉可能に軸支される本体枠と、
前記本体枠に対して一方の側部を軸支して開閉可能に備えたフロントドアと、
前記フロントドアの他方の側部と、該他方の側部と相対向する本体枠の一方の側部との間に備えられ、前記フロントドアを前記本体枠に対して開閉錠する施錠装置とからなる遊技機であって、
前記施錠装置によって閉錠されて閉扉状態にある前記フロントドアと前記本体枠との閉扉状態位置を固定するための係止機構と、
を備え、
前記係止機構は、前記本体枠に設けられるフロントドアロックと、前記フロントドアに設けられ、前記フロントドアロックが係止する係止部とで構成されており、
前記フロントドアロックは、前記本体枠の前面から前記フロントドアの裏面に向けて直交状に突設されており、
前記フロントドアロックは、前記本体枠に対して回転可能に軸支される基端側の固定部と、前記固定部から前方に向けて一体に突出し、先端側にロック爪を備えて短尺板状に形成された爪部とで構成され、軸支位置を支点にして前記本体枠の前面に向かって左右方向に傾動可能であるとともに、前記爪部が常に前記フロントドアの裏面に対して直交状に向くように付勢されており、
前記係止部は、前記フロントドアロックの爪部が向いている直線上にて、前記爪部が係止可能に前記フロントドアに備えられ、
前記係止部と前記フロントドアロックの係止を解除させる係止制御手段は、
前記施錠装置による前記フロントドアの開錠と連動して可動するロック可動片と、
前記ロック可動片の可動と連動して可動する連動レバーと、
前記連動レバーと前記フロントドアロックを結線する結線部材とを備えており、
前記施錠装置により前記フロントドアが前記本体枠に対して開錠された際、前記ロック可動片及び前記連動レバーを可動させ、当該連動レバーに結線されている前記結線部材によって前記フロントドアロックを可動させることで、当該フロントドアロックと前記係止部の係止を解除することを特徴とする遊技機。
【請求項２】
前記結線部材はガイド部材によって導かれることを特徴とする請求項１に記載の遊技機。
【発明の詳細な説明】
【技術分野】
【０００１】
本発明は、遊技機(例えば、パチンコ機)に関し、より具体的には、遊技機に対する不正防止技術に関する。
【背景技術】
【０００２】
遊技機(一例として、パチンコ機)としては、これが設置される遊技島に固定される外枠と、外枠に対して開閉可能に軸支される本体枠と、本体枠に対して開閉可能に軸支されるガラス扉(フロントドアともいう)と、ガラス扉を本体枠に対して選択的に開閉錠するための施錠装置とを備えたものが一般的である。
【０００３】
このような遊技機においては、遊技者の遊技中は施錠装置によってガラス扉が閉錠(施錠)され、本体枠に対して開扉不能な状態となっているが、本体枠とガラス扉との境界からピアノ線などを差し込んで、遊技盤上の入賞装置などに対して不正行為が行われ易いという欠点があった。かかる欠点に対しては、従来から各種の防止策が講じられており、例えば特許文献１には、ガラス扉の横幅寸法を本体枠の横幅寸法とほぼ同じとなるように形成し、ガラス扉の開扉側(反軸支側)の上部に切欠部を形成するとともに、切欠部に対応する本体枠上の領域をガラス扉の表面とほぼ同一平面となる高さに突出させた突出部を形成し、施錠装置の鍵を挿入して操作可能なシリンダ錠を突出部の鍵穴に設けた遊技機の構成が開示されている。
【０００４】
かかる遊技機によれば、ガラス扉と本体枠との正面から見える境界線が切欠部の外周形状だけに限定され、ピアノ線などの不正具を差し込み得る範囲(領域)が少なくなるため、上述したような不正行為を抑制することができる。
【特許文献１】特開平８−１４１１８３号公報
【発明の開示】
【発明が解決しようとする課題】
【０００５】
しかしながら、特許文献１に開示された遊技機に対しては、ガラス扉と本体枠の境界からピアノ線などを挿入する不正行為は行い難くなるが、不正行為の方法や当該方法に用いられる不正具は他にも多数あり、また、不正具を用いずに行われる不正行為の存在も知られているため問題になっている。
例えば、上皿(遊技球供給皿)を前方(遊技者側)へ引っ張ることにより、本体枠へ装着された遊技盤とガラス扉のガラス板との間の空間を拡大させ、拡大された空間に遊技球を詰まらせる(積み上げる)ことによって入賞口への入球を容易とするような不正行為が行われる場合があるが、特許文献１に開示された遊技機では、このような不正行為を防止することができない。
【０００６】
本発明は、このような問題を解決するためになされており、その目的は、遊技盤とガラス板との間に故意に生じさせた空間を利用して行われる不正行為を確実に防止することが可能な遊技機を提供することにある。
【課題を解決するための手段】
【０００７】
このような目的を達成するために、第１の発明は、遊技機が設置される遊技島に固定される外枠と、前記外枠に対して開閉可能に軸支される本体枠と、前記本体枠に対して一方の側部を軸支して開閉可能に備えたフロントドアと、前記フロントドアの他方の側部と、該他方の側部と相対向する本体枠の一方の側部との間に備えられ、前記フロントドアを前記本体枠に対して開閉錠する施錠装置とからなる遊技機であって、前記施錠装置によって閉錠されて閉扉状態にある前記フロントドアと前記本体枠との閉扉状態位置を固定するための係止機構と、を備え、前記係止機構は、前記本体枠に設けられるフロントドアロックと、前記フロントドアに設けられ、前記フロントドアロックが係止する係止部とで構成されており、前記フロントドアロックは、前記本体枠の前面から前記フロントドアの裏面に向けて直交状に突設されており、前記フロントドアロックは、前記本体枠に対して回転可能に軸支される基端側の固定部と、前記固定部から前方に向けて一体に突出し、先端側にロック爪を備えて短尺板状に形成された爪部とで構成され、軸支位置を支点にして前記本体枠の前面に向かって左右方向に傾動可能であるとともに、前記爪部が常に前記フロントドアの裏面に対して直交状に向くように付勢されており、前記係止部は、前記フロントドアロックの爪部が向いている直線上にて、前記爪部が係止可能に前記フロントドアに備えられ、前記係止部と前記フロントドアロックの係止を解除させる係止制御手段は、前記施錠装置による前記フロントドアの開錠と連動して可動するロック可動片と、前記ロック可動片の可動と連動して可動する連動レバーと、前記連動レバーと前記フロントドアロックを結線する結線部材とを備えており、前記施錠装置により前記フロントドアが前記本体枠に対して開錠された際、前記ロック可動片及び前記連動レバーを可動させ、当該連動レバーに結線されている前記結線部材によって前記フロントドアロックを可動させることで、当該フロントドアロックと前記係止部の係止を解除することを特徴とする遊技機としたことである。
【０００８】
第１の発明によれば、例えば、上皿が引っ張られた場合であっても、フロントドアの係止部と本体枠のフロントドアロックとを係止させることができるため、遊技盤とガラス板との間の空間を拡大させることがない。この結果、拡大された空間を利用した不正行為(一例として、かかる空間に遊技球を詰まらせる(積み上げる)ことによって入賞口への入球を容易とする行為)を確実に防止することができる。
また、フロントドアの係止部と本体枠のフロントドアロックとの係止解除を簡易構造の係止制御手段によって行うことができ、例えば、施錠装置によりフロントドアが開錠された際にこれと同期して係止解除制御を行うことで、係止部とフロントドアロックとの係止を容易に解除させることができる。
【０００９】
第２の発明は、第１の発明において、前記結線部材はガイド部材によって導かれることを特徴とする遊技機としたことである。
【発明の効果】
【００１０】
本発明によれば、遊技盤とガラス板との間に故意に生じさせた空間を利用して行われる不正行為を確実に防止することが可能な遊技機を提供することができる。
【発明を実施するための最良の形態】
【００１１】
以下、本発明の遊技機の一実施形態について、添付図面を参照して説明する。なお、本実施形態は本発明に係る遊技機の一例に過ぎず、何らこれに限定解釈されるものではなく、本発明の範囲内で設計変更可能である。なお、ここでは、本発明に係る遊技機の一例として弾球遊技機(いわゆるパチンコ機)を挙げて説明するが、遊技球が遊技領域に流下されて遊技が行われるその他の遊技機も対象である。
【００１２】
図１には、本実施形態に係る遊技機(弾球遊技機)の全体構成が示されている。かかる弾球遊技機は、該弾球遊技機が設置される遊技場の島設備(遊技島)(図示しない)に固定される外枠１と、該外枠１に対して開閉可能に軸支され、遊技盤ベース１８(図５,６)に種々の遊技部材を備えて遊技領域を構成した遊技盤１９(図５,６)が着脱自在に装着される本体枠(内枠ともいう)２と、ガラス板４を介して遊技盤１９が視認可能となるように配設されるフロントドア(ガラス扉ともいう)３とを備えて構成されている。この場合、本体枠２は外枠１に対し、フロントドア３は本体枠２に対し、それぞれヒンジなど(図示しない)を介して開閉可能(回動可能)に軸支されている。また、遊技盤１９の背面には、表示装置(図示しない)が着脱自在に装着されている。
【００１３】
遊技部材は、弾球遊技機において遊技に必要な全ての部材を言い、例えば図５,６に示すように、遊技球が転動する表側の遊技領域を区画するとともに、該表側の遊技領域に発射装置２２から打ち出される遊技球を導く発射通路を構成するガイドレール１５、表示装置(図示しない)の変動表示を起動させるとともに、大当たりとするか否かの抽選処理を起動させる始動入賞装置(始動入賞口ともいう(図示しない))、大当たり時に開放するアタッカと称する特別電動役物の大入賞装置(大入賞口ともいう(図示しない))、遊技球が入賞することにより遊技球の払い出しを起動させる一般入賞装置(一般入賞口ともいう(図示しない))、遊技領域での入賞を逃したアウト球を排出するアウト口１３、遊技盤ベース１８に打たれている多数の遊技釘(図示しない)、そして遊技球が転動可能なステージ及び天通路(いずれも図示しない)などの各部材が挙げられる。
【００１４】
遊技盤ベース１８は、前記各遊技部材を固定でき、かつ、容易に変形しない(曲がらない)又は変質しない程度の硬度・強度等を有する材質で形成されている。また、遊技盤ベース１８は、少なくともその一部が無色透明のアクリル樹脂材、ポリカーボネート樹脂、ポリアリレート樹脂などの透明性の高い硬質の合成樹脂材(透明部材)で形成され、裏側に配設される表示装置がその透明部材を介して視認可能とする。
また、樹脂以外の材質、例えばガラスなどを採用することも本発明の範囲内であり設計変更可能である。
なお、遊技盤ベース１８を介して遊技盤１９の裏側に装着された表示装置を視認可能とする構成を採用しない場合には、遊技盤ベース１８全体が非透明部材からなるものであっても構わない。
【００１５】
フロントドア３の前面下部には、図１に示すように該フロントドア３と一体を成す皿ユニット２０が設けられており、この皿ユニット２０には、払出装置(図示しない)から払い出された遊技球が遊技球受入口５ａから供給されるとともに、発射装置２２(図５,６)へと遊技球を供給するための遊技球供給皿(上皿)５と、該遊技球供給皿５の満杯時に前記遊技球受入口５ａの内方で溢れ出た球(溢出球)を排出する下皿排出口６ａを有する下皿６が備えられている。
また、この下皿６には、発射ハンドル(図示しない)の操作によって発射装置２２より発射されたが、遊技領域に到達しない遊技球(ファール球)と、遊技球供給皿５に備えられた球抜取装置(図示しない)を操作することによって、遊技球供給皿５から抜き取られた遊技球(抜取球)が、下皿排出口６ａを介して排出される。
【００１６】
前記発射装置２２は、発射制御回路、発射ソレノイドや槌先などからなる遊技球発射機構を備え、本体枠２の前面(フロントドア３を開扉させた際に露出される面)下部に設けられている。
前記遊技球発射機構は、遊技球を遊技領域へ向けて発射させるための機構であり、発射ハンドルの操作により発射ソレノイドが駆動され、該発射ソレノイドの駆動により槌先が作動し、球送り装置から発射レールへ供給された遊技球を叩打することで、該遊技球を遊技領域へ向けて発射させる。その際、かかる遊技球を発射させるまでの一連の制御は、発射制御回路による信号処理によって実行されている。
【００１７】
このように前記遊技球発射機構によって遊技領域へ向けて遊技球が発射されることで、弾球遊技機において遊技が行われる。
なお、弾球遊技機には、フロントドア３を本体枠２に対して開閉錠する施錠装置２４が備えられており、遊技者による遊技中は該施錠装置２４によってフロントドア３を閉錠(施錠)し、本体枠２に対して開扉不能な状態としている。
施錠装置２４は、本体枠２側に備えられる可動部材(以下、ロック可動片という)２５(図５)と、該ロック可動片２５を上下に可動させてフロントドア３の開閉錠(解錠及び施錠)状態の切換操作を行う操作部２６(同図)、及びフロントドア３側に備えられ、本体枠２側のロック可動片２５を係止させる係止片２７(図２)とで構成されている。
【００１８】
この場合、操作部２６としては、所定の鍵(図示しない)が鍵穴２８に挿入された場合にのみ、シリンダを回動させることが可能なシリンダ錠が一例として設けられている。具体的には、鍵穴２８に挿入された鍵(以下、この状態の鍵の位置を開錠位置という)を所定方向(例えば、右方向)に回動させることで、これと連動してロック可動片２５を係止片２７に係止させることができる(以下、この状態の鍵の位置を閉錠位置という)。一方、鍵穴２８に挿入した鍵を前記所定方向とは逆方向(例えば、左方向)に回動させること、すなわち該鍵を閉錠位置から開錠位置に戻すことで、これと連動してロック可動片２５と係止片２７との係止を解除させることができる。なお、図２,３に示すようにフロントドア３には、本体枠２に対して閉扉した状態で操作部２６(具体的には、その鍵穴２８)を弾球遊技機の前面側へ露出可能となるように、本体枠２における操作部２６の配設領域に相当する該フロントドア３の反軸支側の領域に貫通孔３ｈが形成されている。
【００１９】
ロック可動片２５は、本体枠２の前面開放側(フロントドア３の軸支側とは反対側)の側縁(図５の右側縁)に備えられており、本実施形態においては、操作部２６と機械的に連携された長尺状本体(以下、係止可動片本体という)２９の前面(本体枠２の前面側に位置付けられる面)２９ｓ(図１０,１３)に、弾球遊技機の高さ方向に所定間隔を空けて一体に突設された上側ロック可動片２５ａ、中側ロック可動片２５ｂ及び下側ロック可動片２５ｃの３つで構成されている。各ロック可動片25a,25b,25cは、図６,１０,１３に示すように、係止可動片本体２９の前面２９ｓから前方に向けて突設した平板部３０ａと、該平板部３０ａの先端に上向き(弾球遊技機の高さ方向で上向き)に突出した係止爪３０ｂとで形成されている。この場合、平板部３０ａは、係止可動片本体２９の前面２９ｓを拡張させるように延設した連結部位３０ｊ(図５,１２,１３)を介して該前面２９ｓから突出している。これにより、各ロック可動片25a,25b,25cの係止爪３０ｂがフロントドア３の係止片２７(図２)と係止される構造となる。
【００２０】
係止可動片本体２９と操作部２６との連携構造は特に限定されないが、一例として、本実施形態においては図１２,１３に示すようなギア構造を採用している。この場合、操作部２６には、鍵穴２８に挿入した鍵(図示しない)の操作と連動して可動するギア３１が設けられており、該ギア３１には、開錠歯３１ａと閉錠歯３１ｂの２つの歯が形成されている。これに対し、係止可動片本体２９には、ギア３１の開錠歯３１ａと噛合される開錠歯噛合部３２ａ、及び閉錠歯３１ｂと噛合される閉錠歯噛合部３２ｂの２つの噛合部が設けられている。図１２,１３に示す構成においては、開錠歯噛合部３２ａを係止可動片本体２９の前面２９ｓを一部凹状に切り欠いて段差状とするとともに、閉錠歯噛合部３２ｂを閉錠歯３１ｂが挿通可能な貫通孔状としている。
なお、ギア３１の開錠歯３１ａと閉錠歯３１ｂ、及び係止可動片本体２９の開錠歯噛合部３２ａと閉錠歯噛合部３２ｂの形態(大きさ、形状など)は、開錠歯３１ａと開錠歯噛合部３２ａが噛合可能であるとともに、閉錠歯３１ｂと閉錠歯噛合部３２ｂが噛合可能である限り、図示した形態には限定されない。例えば、開錠歯噛合部３２ａを開錠歯３１ａと噛合可能な貫通孔状としてもよいし、閉錠歯噛合部３２ｂを閉錠歯３１ｂと噛合可能な段差状としてもよい。
【００２１】
このような構成によれば、鍵穴２８に挿入した鍵(図示しない)を閉錠位置から開錠位置へ向けて回動させた際、ギア３１の開錠歯３１ａが係止可動片本体２９の開錠歯噛合部３２ａと噛み合い、その後該鍵が開錠位置へ回動されるまでの間、開錠歯噛合部３２ａと噛合された開錠歯３１ａが該開錠歯噛合部３２ａを下向き(弾球遊技機の高さ方向で下向き)に押圧する。これにより、係止可動片本体２９が押し下げられ、ロック可動片25a,25b,25cの係止爪３０ｂとフロントドア３の係止片２７との係止を解除させることができ、該フロントドア３を本体枠２に対して開扉させることが可能となる。
【００２２】
一方、鍵穴２８に挿入した鍵を開錠位置から閉錠位置へ向けて回動させた際、ギア３１の閉錠歯３１ｂが係止可動片本体２９の閉錠歯噛合部３２ｂと噛み合い、その後該鍵が開錠位置へ回動されるまでの間、閉錠歯噛合部３２ｂと噛合された閉錠歯３１ｂが該閉錠歯噛合部３２ｂを上向き(弾球遊技機の高さ方向で上向き)に押圧する。これにより、係止可動片本体２９が押し上げられ、ロック可動片25a,25b,25cの係止爪３０ｂをフロントドア３の係止片２７と係止させることができ、該フロントドア３を本体枠２に対して閉扉させる(開扉不能な状態とする)ことが可能となる。
【００２３】
このように施錠装置２４を備えることで、フロントドア３の開閉錠(解錠及び施錠)状態を任意に切り換え、必要に応じてフロントドア３を本体枠２に対して開扉状態あるいは閉扉状態(開扉不能状態)に保つことができる。
なお、ギア３１の開錠歯３１ａと閉錠歯３１ｂ、及び係止可動片本体２９の開錠歯噛合部３２ａと閉錠歯噛合部３２ｂの相対的な位置関係は、操作部２６によってフロントドア３を開閉錠させる際の係止可動片本体２９の動作形態、すなわちロック可動片25a,25b,25cの係止爪３０ｂとフロントドア３の係止片２７との係止構造に応じて設定すればよい。
【００２４】
また、本実施形態において、弾球遊技機には、施錠装置２４によって閉錠されて閉扉状態(開扉不能状態)にあるフロントドア３の本体枠２に対する位置を固定するための係止機構が備えられている。かかる係止機構により、遊技盤１９とガラス板４との間の空間を故意に拡大できないようにすることで、例えば、拡大された空間を利用した不正行為(一例として、かかる空間に遊技球を詰まらせる(積み上げる)ことによって入賞口(図示しない)への入球を容易とする行為)を確実に防止することを可能としている。
この場合、弾球遊技機は前記係止機構として、フロントドア３に設けられ、本体枠２に係止可能な係止部３３(図３,４)と、本体枠２に設けられ、前記係止部３３を係止させるフロントドアロック３４(図７,８)と、係止部３３とフロントドアロック３４の係止を解除させる係止制御手段(図９〜１１)とを備えている。
【００２５】
係止部３３とフロントドアロック３４の構成は、係止部３３がフロントドアロック３４に係止可能であるとともに、フロントドアロック３４が係止部３３を係止可能であれば特に限定されず、任意の構成を選択して適用することができる。
図３,４及び図７,８にはこれらの構成の一例がそれぞれ示されている。係止部３３は、図３,４に示すように本体部３３ａ、支持部３３ｂを備えるとともに、フロントドアロック３４に係止されるフロントドアロック係止片３３ｃを備えた静止構造体であり、フロントドア３の裏面(本体枠２の前面と対向する面)３ｓ側、かつガラス板４の下部近傍に配設されている。本体部３３ａは、フロントドア３の裏面３ｓから後方へ向けて突出し、該裏面３ｓに向かって左右方向に肉薄の平板状を成しており、支持部３３ｂは、該本体部３３ａの上端及び下端に連続して裏面３ｓから後方へ向けて突出し、該裏面３ｓに向かって上下方向に肉薄の平板状を成している。また、フロントドアロック係止片３３ｃは、本体部３３ａの突出端に連続して所定角度で延出し、該裏面３ｓに向かって前後方向に肉薄の平板状を成しており、当該延出部位がフロントドアロック３４に係止される構造となっている。
【００２６】
その際、フロントドアロック係止片３３ｃは、本体枠２のフロントドアロック３４と確実に係止させることを考慮すれば、９０°以下の角度でフロントドア３の裏面３ｓへ近接する方向へ傾斜するように、本体部３３ａの突出端から延出させることが好ましい。なお、図４には、支持部３３ｂの突出高さを本体部３３ａの突出高さよりも大きな寸法に設定するとともに、フロントドアロック係止片３３ｃを本体部３３ａの突出端からフロントドア３の裏面３ｓに向かって右方向へ、その延出端面が支持部３３ｂの側面と面一となる寸法で延出させた係止部３３の構成が一例として示されている。これにより、係止部３３は、本体部３３ａ、支持部３３ｂ及びフロントドアロック係止片３３ｃで囲まれた凹状の領域(以下、かかる領域を凹状領域３３ｓという)をフロントドア３の裏面３ｓに向かって右側に有した構造体となる。
【００２７】
これに対し、フロントドアロック３４は、図７,８に示すように、本体枠２に設けられたベース部材(以下、フロントドアロックベースという)３４ａと、該フロントドアロックベース３４ａに回動可能に設けられた回動軸(同、ロック軸という)３４ｂと、該ロック軸３４ｂに軸支された可動部材(同、ロック爪という)３４ｃと、該ロック爪３４ｃに対して付勢力を与える弾性部材(以下、ロックバネという)３４ｄを備えた可動構造体であり、フロントドア３の係止部３３を係止可能となるように位置決めされて、本体枠２の前面側(フロントドア３の裏面３ｓとの対向側)、かつ遊技盤１９の下部近傍に配設されている。
【００２８】
フロントドアロックベース３４ａは、ロック軸３４ｂを回動可能に支持するための複数の壁部材(以下、ベース壁という)３５と、該ベース壁３５に支持されたロック軸３４ｂを被覆するための蓋部材(以下、ベース蓋という)３６とで構成されている。この場合、ベース壁３５は、図７,８に示すように本体枠２の前面から前方へ向けて突設されており、ベース蓋３６は、該ベース壁３５で囲まれた凹状の領域を覆うとともに、ロック軸３４ｂを外部へ露出可能な貫通孔３６ｈを中央部に有する平板状を成している。
【００２９】
ロック軸３４ｂは、フロントドアロックベース３４ａのベース壁３５で囲まれた凹状領域に収容可能であるとともに、該ベース壁３５で支持可能な径寸法及び長さ寸法で延出された略円柱状を成しており、その延出方向が弾球遊技機の高さ方向と平行を成すように前記凹状領域に位置付けられているとともに、その上下端がベース壁３５に回動可能に支持された状態で、ベース蓋３６の貫通孔３６ｈから一部露出されている。
【００３０】
フロントドアロックベース３４ａとロック軸３４ｂとをこのような構成とすることで、該ロック軸３４ｂは、その軸支位置が弾球遊技機の高さ方向と平行して上下に並び、該高さ方向と平行して回動可能となり、ベース蓋３６の貫通孔３６ｈから露出された部位に対してロック爪３４ｃを固定することで、該ロック爪３４ｃを本体枠２の前面(フロントドア３の裏面３ｓと対向する面)に向かって左右方向に可動させることができる。
【００３１】
ロック爪３４ｃは、ロック軸３４ｂに固定される固定部３７と、該固定部３７に連続し、フロントドアロックベース３４ａよりも前方へ向けて突出する爪部３８とで構成されている。固定部３７には、ロック爪３４ｃが必要以上に可動することのないように、その可動範囲を限定するためのストッパ３７ａがベース蓋３６の貫通孔３６ｈの周縁部に噛合するように設けられている。また、爪部３８には、その突出先端を固定部３７よりも肉厚としてなる返し３８ａが設けられており、該返し３８ａは、爪部３８の突出先端から突出基端(固定部３７との連続部位)の方向へ向かうに従って徐々に肉厚となるような傾斜構造を成しており、爪部３８の最大肉厚部位と最小肉厚部位とを連続させることで段差３８ｂを形成している。
【００３２】
なお、図７,８には、爪部３８の返し３８ａを本体枠２の前面に向かって右側に設けたロック爪３４ｃの構成が一例として示されているが、その際、段差３８ｂの高さ(返し３８ａの最大肉厚部位と最小肉厚部位との寸法差)は、フロントドア３に設けられた係止部３３のフロントドアロック係止片３３ｃをスムーズに係止可能となるように、該フロントドアロック係止片３３ｃの延出寸法に応じて設定すればよい。
【００３３】
また、この場合、ロック爪３４ｃ(爪部３８)の大きさは、係止部３３の凹状領域３３ｓよりも一回り小さな寸法となるように設定されている。すなわち、係止部３３とフロントドアロック３４の相対的な大きさをこのような設定とすることで、係止部３３がフロントドアロック３４に係止される際、該ロック爪３４ｃ(爪部３８)を該凹状領域３３ｓに収容でき、係止部３３とフロントドアロック３４をスムーズに係止させることが可能となる。
【００３４】
そして、ロックバネ３４ｄは図７に示すように、その一端部(同図の左端部)が本体枠２の前面に突設された固定軸４４に固定され、他端部(同、右端部)がロック爪３４ｃの固定部３７に固定されている。この状態で、ロックバネ３４ｄは本体枠２の前面に向かって右方向から左方向へ付勢力を有しており、該付勢力がロック爪３４ｃの固定部３７に対して常時作用されている。すなわち、ロック爪３４ｃは、ロックバネ３４ｄから作用される付勢力により、ロック軸３４ｂ周りに本体枠２の前面に向かって右方向へ常に回動可能な状態となっており、前記付勢力を固定部３７のストッパ３７ａからベース蓋３６へ退避させることで、その姿勢を静止状態に保っている。
【００３５】
このような構成によれば、本体枠２に対して開扉されたフロントドア３を閉扉させる際、係止部３３は、そのフロントドアロック係止片３３ｃをフロントドアロック３４のロック爪３４ｃの爪部３８に接触させた状態で、前記付勢力に抗して該ロック爪３４ｃをロック軸３４ｂ周りに本体枠２の前面に向かって左方向へ回動させつつ、爪部３８の返し３８ａに沿って後方(本体枠２に対して後方)へ移動する。フロントドアロック係止片３３ｃがさらに後方へ移動して段差３８ｂまで達した際、前記フロントドアロック係止片３３ｃの爪部３８に対する位置が本体枠２の前面に向かって右方向から左方向へずれ、該フロントドアロック係止片３３ｃが段差３８ｂに係合される。
【００３６】
この結果、前記付勢力に抗してロック軸３４ｂ周りに左方向へ回動されていたロック爪３４ｃが、再び該付勢力によって該ロック軸３４ｂ周りにストッパ３７ａをベース蓋３６の貫通孔３６ｈの周縁部に噛合させるまで右方向へ回動され、ロック爪３４ｃはこの状態で静止する。したがって、前記フロントドアロック係止片３３ｃの位置が爪部３８の返し３８ａに対して固定され、これにより、係止部３３をフロントドアロック３４に安定して係止させることができる。
【００３７】
なお、係止部３３のフロントドアロック係止片３３ｃのフロントドア３の裏面３ｓに対する延出方向(別の捉え方をすれば、凹状領域３３ｓの形成方向)と、ロック爪３４ｃ(爪部３８)の返し３８ａの本体枠２の前面に対する配設方向を同一に設定することで、係止部３３とフロントドアロック３４を係止させることは可能となる。したがって、かかる方向は、本実施形態のようにフロントドア３の裏面３ｓ及び本体枠２の前面に向かって右方向には限定されず、例えば、左方向や上下方向などのいずれであってもよい。その際、ロックバネ３４ｄは、係止部３３とフロントドアロック３４を安定して係止させることが可能となるように、ロック爪３４ｃへ作用させる付勢力の作用方向を設定して配設すればよい。
【００３８】
ここで、本実施形態においては、上述したように係止部３３をフロントドアロック３４と係止させる際、そのための人為的な係止操作を加える必要はなく、フロントドア３の本体枠２に対する閉扉と同時に、自動的にフロントドアロック係止片３３ｃの位置を静止したロック爪３４ｃ(爪部３８)の返し３８ａに対して固定することができるため、係止部３３をフロントドアロック３４に係止させることが可能となる。
このように、本実施形態においては、フロントドア３を本体枠２に対して閉扉させた際、自動的に係止部３３をフロントドアロック３４に係止させることができるのに対し、係止部３３とフロントドアロック３４の係止解除は、係止制御手段によって人為的に行っている。
【００３９】
係止制御手段は、図５〜１３に示すように、施錠装置２４によるフロントドア３の開錠と連動して可動する可動部材(ロック可動片２５(具体的には、下側ロック可動片２５ｃ))と、該下側ロック可動片２５ｃの可動と連動して可動する連動レバー３９と、該連動レバー３９とフロントドアロック３４を結線する結線部材４０とを備えている。この場合、連動レバー３９は棒体を成し、その基端部を該連動レバー３９と連動する部材(以下、連動レバー軸受という)４１に連結され、該連動レバー軸受４１を介して結線部材４０と連結されているとともに、その先端部に到るまでの部位を下側ロック可動片２５ｃに当接させた状態で本体枠２に配設されている。
【００４０】
図９,１０に示す構成において、連動レバー軸受４１は一例として略半円形の平板状を成しており、所定の軸４３(図５,６,１３)周りに連動レバー３９と連動して回動可能な構造となっている。この場合、連動レバー軸受４１には、弦状を成す部位に連動レバー３９の基端部が連結され、弧状を成す部位に一端部がフロントドアロック３４に連結された結線部材４０の他端部が連結されている。これにより、連動レバー軸受４１を介して連動レバー３９と結線部材４０が連結されているとともに、該結線部材４０を介して前記連動レバー軸受４１とフロントドアロック３４が連結された状態となっている。すなわち、連動レバー軸受４１を介し、連動レバー３９とフロントドアロック３４が結線部材４０によって結線された状態となる。なお、連動レバー軸受４１を設けることなく、連動レバー３９と結線部材４０を直接連結させることで、該連動レバー３９とフロントドアロック３４とを結線させた構成としてもよい。
【００４１】
結線部材４０としては、連動レバー３９とフロントドアロック３４を結線することが可能であれば、任意の線状あるいは棒状を成す各種の部材を選択して適用することができるが、本実施形態においては一例としてピアノ線が適用されている場合を想定する。
結線部材(ピアノ線)４０には、図７に示すようにフロントドアロック３４と連結される一端部にフック４０ｋが設けられており、該フック４０ｋをロック爪３４ｃの固定部３７に引っ掛けることで、フロントドアロック３４に連結されている。その一方、結線部材(ピアノ線)４０の他端部は、図９,１０に示すように締結部材(一例として、ボルトとナット)によって連動レバー軸受４１に連結されている。
【００４２】
なお、フック４０ｋは、結線部材(ピアノ線)４０とは別体を成すフック部材とし、該フック部材を前記結線部材(ピアノ線)４０の一端部に加締めや接着などにより取り付けることで該結線部材(ピアノ線)４０に設けてもよいし、前記一端部を折曲あるいは湾曲させてフック４０ｋ部分を結線部材(ピアノ線)４０と一体的に設けてもよい。フック４０ｋを別体構成とした場合、結線部材(ピアノ線)４０を敷線する際、いずれも後述するガイド材４２(図９,１０)や貫通孔３７ｈ(図１１)への装着や挿入などの取り回しが容易となるのに対し、フック４０ｋを一体構成とした場合、フック部材を別途調達する必要がなく、部品点数を削減することができるとともに、該フック部材の取付作業を行う必要がなく、作業工程を削減することができる。
また、結線部材(ピアノ線)４０とフロントドアロック３４及び連動レバー軸受４１との連結方法は、上述した方法には限定されず、周知の各種方法によって連結させればよい。
【００４３】
この場合、本体枠２には、結線部材(ピアノ線)４０を敷線するとともに、これをガイドするための部材(以下、ガイド材という)４２が複数個(図９,１０においては、４個)設けられている。このように複数のガイド材４２を設けることで、連動レバー３９とフロントドアロック３４との間に結線部材(ピアノ線)４０を緩みや撓みなく結線することができるとともに、結線部材(ピアノ線)４０を敷線するための特別なスペースを確保しなくとも、本体枠２の既存の部材同士のすきまなどを有効活用して結線部材(ピアノ線)４０を敷線することができる。
【００４４】
また、フロントドアロックベース３４ａのベース壁３５は、図７,８に示すように結線部材(ピアノ線)４０の敷線経路上に当たる部位が切り欠かれているとともに、図１１に示すようにロック爪３４ｃの固定部３７には、結線部材(ピアノ線)４０を挿通ための貫通孔３７ｈが本体枠２の前面に対して左右方向に穿孔されている。
【００４５】
このように、本実施形態において結線部材(ピアノ線)４０は、ロック爪３４ｃの固定部３７の本体枠２の前面に向かって左側にフック４０ｋで連結されている。この結果、結線部材(ピアノ線)４０に対して引張荷重を加えることで、フロントドアロック３４のロック爪３４ｃをロックバネ３４ｄによる付勢力に抗してロック軸３４ｂ周りに本体枠２の前面に向かって左方向へ回動させることができる。
【００４６】
ロック爪３４ｃがロック軸３４ｂ周りに左方向へ回動すると、フロントドアロック３４に係止されていた係止部３３、具体的には、ロック爪３４ｃの爪部３８に対して固定されていたフロントドアロック係止片３３ｃの位置が、本体枠２の前面に向かって左方向から右方向へ段差３８ｂに沿ってずれていく。そして、結線部材(ピアノ線)４０に対して引張荷重を加え続け、さらにロック爪３４ｃがロック軸３４ｂ周りに左方向へ回動されると、フロントドアロック係止片３３ｃが係合していた段差３８ｂから外れる。この結果、フロントドアロック係止片３３ｃの位置が爪部３８の返し３８ａに対して解放され、この状態でフロントドア３を本体枠２に対して開扉させることで、係止部３３とフロントドアロック３４との係止を解除させることができる。
【００４７】
上述したように、本実施形態に係る弾球遊技機には、フロントドア３を開閉錠する施錠装置２４が備えられており、該フロントドア３を本体枠２に対して開扉させるために鍵穴２８に挿入した鍵(図示しない)を閉錠位置から開錠位置へ向けて回動させた際、係止可動片本体２９が押し下げられる構造となっている。
すなわち、その際、係止可動片本体２９とともに、該係止可動片本体２９に形成された下側ロック可動片２５ｃも押し下げられる。
【００４８】
連動レバー３９は、下側ロック可動片２５ｃと当接し、該下側ロック可動片２５ｃの可動と連動して可動する構造を成しているため、下側ロック可動片２５ｃが押し下げられた際、これと連動して先端部が本体枠２の前面に向かって下方向へ移動するように押し下げられる。また、連動レバー３９は連動レバー軸受４１と連結されており、該連動レバー３９が押し下げられることにより、連動レバー軸受４１が軸４３周りに前記連動レバー３９と連動して回動される。本実施形態においては、図９,１０に示すように連動レバー軸受４１が右回りに回動されることになる。そして、連動レバー軸受４１が右回りに回動されると、その回動力が該連動レバー軸受４１に連結された結線部材(ピアノ線)４０に対して引張荷重として作用される。
【００４９】
したがって、施錠装置２４(操作部２６)の鍵穴２８に挿入した鍵(図示しない)を閉錠位置から開錠位置へ向けて回動させた際、すなわちフロントドア３を開錠し、本体枠２に対して開扉させた際、該鍵の操作と連動して係止部３３とフロントドアロック３４との係止を解除させることができる。
【００５０】
これにより、フロントドア３の開錠を行う鍵操作とは別に、係止部３３とフロントドアロック３４との係止を解除させるための操作を行う必要はなく、施錠装置２４によりフロントドア３が開錠された際にこれと同期して係止解除を行うことができる。すなわち、係止部３３とフロントドアロック３４との係止解除を簡易構造の係止制御手段(一例として、下側ロック可動片２５ｃ、連動レバー３９、結線部材(ピアノ線)４０及び連動レバー軸受４１)によって行うことができるとともに、かかる係止解除を容易に、かつ非常にスムーズに行うことができる。
【００５１】
なお、係止部３３とフロントドアロック３４との係止解除後、結線部材(ピアノ線)４０に対して作用されていた引張荷重を解放すると、ロック爪３４ｃは、ロックバネ３４ｄの付勢力によってロック軸３４ｂ周りに本体枠２の前面に向かって右方向へ回動され、係止部３３とフロントドアロック３４との係止が解除される前の状態に戻る。またその際、結線部材(ピアノ線)４０を介して連動レバー軸受４１が左回りに回動され、連動レバー３９が押し上げられるとともに下側ロック可動片２５ｃも押し上げられ、これらが係止解除前の状態に戻る。
【００５２】
以上のように本実施形態に係る弾球遊技機によれば、遊技者の遊技中は、フロントドア３が本体枠２に対して閉錠されるだけでなく、フロントドア３の係止部３３が本体枠２のフロントドアロック３４と係止された状態となり、該フロントドア３の本体枠２に対する位置を固定させることができる。したがって、遊技盤１９とガラス板４との間の空間を拡大させることはできず、これらの間に故意に生じさせた空間を利用して行われる不正行為を確実に防止することができる。
【００５３】
なお、上述した本実施形態においては、フロントドア３を本体枠２に対して閉扉させた際、自動的に係止部３３をフロントドアロック３４に係止させる構造としているが、係止部３３とフロントドアロック３４との係止をフロントドア３の閉錠を行う鍵操作と連動させて行う構造としてもよい。
この場合、例えば、施錠装置２４(操作部２６)の鍵穴２８に挿入した鍵(図示しない)を開錠位置から閉錠位置へ向けて回動させた際、すなわちフロントドア３を閉錠し、本体枠２に対して閉扉させた(開扉不能な状態とした)際、押し上げられた下側ロック可動片２５ｃと連動して連動レバー３９が押し上げられる構造とするとともに、該連動レバー３９と連動して連動レバー軸受４１が左回りに回動される構造とすればよい。
【００５４】
すなわち、連動レバー軸受４１を左回りに回動させた際、その回動力を該連動レバー軸受４１に連結された結線部材(ピアノ線)４０に対して作用されていた引張荷重を緩める力として作用させることができる。この結果、ロックバネ３４ｄの付勢力によってロック軸３４ｂ周りにストッパ３７ａがベース蓋３６の貫通孔３６ｈの周縁部に噛合するまで、ロック爪３４ｃを右方向へ回動させて静止させることができる。この時、フロントドアロック係止片３３ｃが爪部３８の段差３８ｂに係合され、該フロントドアロック係止片３３ｃの位置が爪部３８の返し３８ａに対して固定されるため、係止部３３をフロントドアロック３４に係止させることができる。
これにより、係止部３３とフロントドアロック３４との係止を上述した簡易構造の係止制御手段によって係止解除と併せて行うことが可能となる。
【図面の簡単な説明】
【００５５】
【図１】本発明の一実施形態に係る遊技機(弾球遊技機)の正面側の全体構成を示す平面図。
【図２】フロントドアの裏面側の構成を示す平面図。
【図３】係止部の構成を説明するためにフロントドアの裏面側を示す斜視図。
【図４】係止部の構成を説明するためにフロントドアの裏面側を一部拡大して示す斜視図。
【図５】本体枠の前面側の構成を示す平面図。
【図６】本体枠の前面側の構成を示す斜視図。
【図７】フロントドアロックの構成を説明するために本体枠の前面側を一部拡大して示す平面図。
【図８】フロントドアロックの構成を説明するために本体枠の前面側を一部拡大して示す斜視図。
【図９】係止制御手段の構成を説明するために本体枠の前面側を一部拡大して示す平面図。
【図１０】係止制御手段の構成を説明するために本体枠の前面側を一部拡大して示す斜視図。
【図１１】係止制御手段の構成を説明するために本体枠の前面側を一部拡大して示す斜視図。
【図１２】施錠装置の構成を説明するために本体枠の前面側を一部拡大して示す平面図。
【図１３】施錠装置の構成を説明するために本体枠の前面側を一部拡大して示す斜視図。
【符号の説明】
【００５６】
１  外枠
２  本体枠
２５ｃ  下側ロック可動片
３４  フロントドアロック
３９  連動レバー
４０  結線部材(ピアノ線)
４１  連動レバー軸受
【図１】
0005916269.tif 000002
【図２】
0005916269.tif 000003
【図３】
0005916269.tif 000004
【図４】
0005916269.tif 000005
【図５】
0005916269.tif 000006
【図６】
0005916269.tif 000007
【図７】
0005916269.tif 000008
【図８】
0005916269.tif 000009
【図９】
0005916269.tif 000010
【図１０】
0005916269.tif 000011
【図１１】
0005916269.tif 000012
【図１２】
0005916269.tif 000013
【図１３】
0005916269.tif 000014